(57)【要約】【課題】  ファイバ・オプティック・ケーブルを保護するためのモジュラ機構を提供する。【解決手段】  ファイバ・オプティック・ケーブル１００４を保護するための方法及びモジュラ機構６００、９００、１００２を提供する。このモジュラ機構は、内側の管と外側の管といったような、ファイバ・オプティック・ケーブルを受けるための（管状の）内側部材１００、１０２と、その内側部材を受けて保持する（管状の）外側コンテナ部材５００、６０２、７００、８００、９０２とを含む。内側部材及び外側コンテナ部材は相互干渉を生じるような所定の形状をしており、これによってファイバ・オプティック・ケーブルの曲率半径を制限する。【選択図】  図６
2006309221.tif 000002
【特許請求の範囲】
【請求項１】
内側部材と、
ファイバ・オプティック・ケーブルを受けるための、前記内側部材を貫通する開口と、
前記内側部材を受けて保持するための外側コンテナ部材とを含み、
前記内側部材と前記外側コンテナ部材とが、ファイバ・オプティック・ケーブルの曲率半径を制限するために、相互干渉を生じるよう夫々予め定められた形状の部分を有する、ファイバ・オプティック・ケーブルを保護するためのモジュラ機構。
【請求項２】
前記外側コンテナ部材が１対の係合用外側部材を含む、請求項１に記載のモジュラ機構。
【請求項３】
前記内側部材及び前記外側コンテナ部材が成型工程によって形成された、請求項１に記載のモジュラ機構。
【請求項４】
前記内側部材及び前記外側コンテナ部材の各々が、選択された電気的な絶縁材料及びその中に導電性材料が挿入されてなる単一の成型部材である、請求項１に記載のモジュラ機構。
【請求項５】
前記絶縁材料がプラスティック材料である、請求項４に記載のモジュラ機構。
【請求項６】
前記導電性材料が、メタル・ファイバ、カーボン・ファイバ、及びフェライト・コア材料から選択された材料を含む、請求項４に記載のモジュラ機構。
【請求項７】
前記内側部材が、前記外側コンテナ部材とともに前記干渉面を生じるように、前記予め定められた形状の部分を有する細長いシリンダ部分と、少なくとも一つの太い端部とを含む、請求項１に記載のモジュラ機構。
【請求項８】
前記外側コンテナ部材が係合用の対の外側部材を含み、当該対の夫々が、前記内側部材の前記細長いシリンダ部分と前記少なくとも一つの太い端部とを受けるための、対応する内部の凹部を含む、請求項７に記載のモジュラ機構。
【請求項９】
前記外側コンテナ部材の前記係合用の対が、前記内側部材上に置かれ、且つ互いに押し嵌め係合で結合されている、請求項８に記載のモジュラ機構。
【請求項１０】
前記ファイバ・オプティック・ケーブルが、その長さに沿う選択された領域で完全に内包された、請求項１に記載のモジュラ機構。
【請求項１１】
前記ファイバ・オプティック・ケーブルが、その長さに沿って完全に内包された、請求項１に記載のモジュラ機構。
【請求項１２】
前記外側コンテナ部材が係合用の対の外側部材を含み、且つ複数のモジュラ機構が前記対の外側部材で以って互いに真直ぐな剛性部分を構成するよう端部同士で突き合わせされて結合されている、請求項１に記載のモジュラ機構。
【請求項１３】
前記外側コンテナ部材が係合用の対の外側部材を含み、且つ前記内側部材及び前記対の外側部材が、ファイバ・オプティック・ケーブルを保護するに足る強度を有する選択された材料からなる成型部材である、請求項１に記載のモジュラ機構。
【請求項１４】
前記外側コンテナ部材が、電磁（ＥＭＩ）シールドを提供するように選択された材料中に挿入されたメタル・ファイバまたはカーボン・ファイバで以って形成された、請求項１３に記載のモジュラ機構。
【請求項１５】
フェライト・コア材料が、ＥＭＩシールドを提供するように前記外側部材の内部空洞部分に挿入された、請求項１３に記載のモジュラ機構。
【請求項１６】
前記内側部材が、シャシーまたは回路ボードに装着するためのねじ部材を有している、請求項１に記載のモジュラ機構。
【請求項１７】
前記外側コンテナ部材が係合用の対の外側部材を含み、且つ前記内側部材及び前記外側コンテナ部材がＥＭＩシールド及びアースを提供するために導電性に形成されている、請求項１記載のモジュラ機構。
【請求項１８】
前記外側コンテナ部材が係合用の対の外側部材を含み、且つＥＭＩシールド及びアースを提供するために、フェライト・コア部材が前記外側部材とともに形成される、請求項１記載のモジュラ機構。
【請求項１９】
前記外側コンテナ部材が係合用の対の外側部材を含み、且つ前記外側部材が複数のリブを有し、前記複数のリブによって次の外側コンテナ部材のリブと端部同士で相互にロック係合する、請求項１に記載のモジュラ機構。
【発明の詳細な説明】
【技術分野】
【０００１】
本発明は、光ファイバ及び光ケーブルに関し、詳細には、ファイバ・オプティック・ケーブルを保護し、シールドを提供するための、またファイバ・オプティック・ケーブルの曲率半径を制限するための機構であって、必要なら自由な移動を許容する機構に関するものである。
【背景技術】
【０００２】
以下の記述及び特許請求の範囲で使用される、ファイバ・オプティック・ケーブル(fiber opticcable)という用語は、光ファイバ・ケーブル(optical fiber cables)と、シングル・オプティカル・ファイバ（シングルモード光ファイバ）と、マルティプル・オプティカル・ファイバ・ペア（マルチモード光ファイバ）とワイヤ・エレクトリカル・ケーブルとを含む。
【０００３】
ファイバ・オプティック・ケーブルがシステム中の他のコンポーネントによって損傷しないよう、ファイバ・オプティック・ケーブルの曲率半径を制限するよう、また好ましくはケーブルをシールドするような効果的な機構が必要である。
【０００４】
ファイバ・オプティック・ケーブルの曲率半径を制限するための一つの従来の構成として、そのポイントでの半径を制御するような、ケーブルのタイ・ダウン・ポイント（負荷の取り付け点、 tie down point）が知られている。その構成の欠点はケーブルの残りの部分を保護しないことであり、それが取り付け点以外のところでは曲げを制御しないこと、また非常に大きくて、動かすのが難しいことである。
【０００５】
他の既知の構成として、押し出し成型されたポリマ製の被服付きのファイバ・ケーブルがある。これはケーブルをその全長に亙って保護するが、全ての箇所で曲率半径を制限しない。
【０００６】
また適切なＥＭＩ放射シールド（電磁シールド）を、例えばコンピュータシステム用に使用されるケーブルのために提供するのは問題である。例えば、そのような問題は、２本の動力ケーブルがシステムボックスの前部から後部に伸びているようなコンピュータシステムにある。動力源を繋げたり外したりするとき、ＡＣとＤＣとの両方同時にスパイクノイズが生じる。この場合はＥＭＩをそのケーブルに結合することによりそのスパイクノイズを除去する。しかし、そのＥＭＩは内部に損傷を生じさせるほど大きくなり得るし、もしそのＥＭＩがシステム外に漏れるとすると、安全性という問題を引き起こすことがある。今日、この問題の解決策は、各ケーブル相互間で、またそのシステムの残りの部分との間で、シールドするよう複数の大きなシート状金属でケーブルを内包することである。
【発明の開示】
【発明が解決しようとする課題】
【０００７】
本発明の主たる目的はファイバ・オプティック・ケーブルを保護し、シールドするとともにファイバ・オプティック・ケーブルの曲率半径を制限する方法及び機構を提供することにある。本発明の他の重要な視点は、実質上マイナスの効果を伴わずに、また従来技術の多くの欠点を克服しつつ、ファイバ・オプティック・ケーブルを保護し、シールドを提供するとともにファイバ・オプティック・ケーブルの曲率半径を制限する機構を提供することにある。
【課題を解決するための手段】
【０００８】
手短にいえば、本発明はファイバ・オプティック・ケーブルを保護するモジュラ機構を提供する。本発明のモジュラ機構は、内側の管及び外側の管といったように、ファイバ・オプティック・ケーブルを受けるための内側部材と、その内側部材を受けて保持するための外側部材とを含む。その内側部材及びその外側コンテナ部材は、ファイバ・オプティック・ケーブルの曲率半径を制限する干渉面を生じるような対応する所定の形状を相互に有する。
【０００９】
本発明の一実施例によれば、外側コンテナ部材とで干渉面を生じるような所定の形状を有するように、内側部材が、細長いシリンダ部分及び、それよりも径の大きい、すなわち太い端部を少なくとも一つ有する。ファイバ・オプティック・ケーブルを受けるため、内側部材の細長いシリンダ部分と太い端部とを貫通する開口がある。外側コンテナ部材は係合用の対の外側部材を有し、夫々が内側の空洞となる凹部を有し、これによって内側部材の太い端部及び細長いシリンダ部分を受ける。その対の外側部材は内側部材上に位置づけられ、突き合わせ係合で一緒に結合される。
【００１０】
本発明の他の実施例によれば、このモジュラ機構はファイバ・オプティック・ケーブルを、ファイバ・オプティック・ケーブルの長さに沿った選択された位置で、またはその全長に亙って完全に内包する。真直ぐな固定した領域を構成するためには複数のモジュラ機構が端部同士で突き合わせ係合するようにして一緒に結合され、また自由に廻れる個々の領域を構成するためには複数のモジュラ機構が離隔される。
【００１１】
本発明の他の実施例によれば、内側部材及び相互にロックされる外側部材は成型部材であり、プラスティック材料など、ファイバ・オプティック・ケーブルを保護できるだけの強度を有する選択された材料からなる。電磁（ＥＭＩ）シールドを提供するため、内側部材及び相互にロックする外側部材の一方または両方がメタル・ファイバ若しくはカーボン・ファイバが成型工程中に、その選択された材料中に挿入されたもので形成されていても良いし、或いはフェライト・コア材料が相互ロック用外側部材とともに形成され、若しくは相互ロック用外側部材中に成型されていても良い。
【００１２】
本発明の他の実施例によれば、その内側部材は、ねじ部材を有し、シャシーや回路ボードなどに容易に装着ないし結合することができるようになっている。その内側部材及び外側部材は特定の応用例に合わせて種々の寸法で提供され、またＥＭＩシールド及びアースすることができるように導電性にされる。
【００１３】
本発明の上記及びその他の目的及び利点は以下の好適な実施例についての説明及び図から理解されよう。
【発明を実施するための最良の形態】
【００１４】
本発明の好適な実施例によれば、ファイバ・オプティック・ケーブルを保護し、その曲率半径を制限するため、また必要であれば自由に動くことが同時に許容されるモジュラ構造が提供される。そのモジュラ式のファイバ・ケーブル・シールド機構は、内側の管及び外側の管といったような、内側部材と、その内側部材を受けて保持する外側コンテナ部材とを含む。外側の管は内側の管上に装着され、ユーザがそれらの管を真直ぐな位置或いは曲がった位置にロックするまでは自由に回転することができる。あるいは、自由に回転できるようロックしないままにすることもできる。内側部材及び外側部材の管の中を貫通するのは、光ファイバ・ケーブルか若しくはワイヤ電気ケーブルである。
【００１５】
本発明の好適な実施例によれば、モジュラ式のファイバ・ケーブル保護機構はシングル・モードのファイバ又はクラスタないしマルチ・モードのファイバとともに、或いはそれらに使用することができる。このモジュラ式のファイバ・ケーブル保護機構は、ケーブルの全長が他のコンポーネントにより損傷しないよう保護するかまたはケーブルの長さ方向に沿う選択された位置でケーブルの周りに設けることができる。このモジュラ式のファイバ・ケーブル保護機構は、ケーブルを真直ぐにすることができる。或いは、いろいろな異なる角度で曲げることができ、その際の曲率半径をケーブルに沿う任意の点で設定することができる。
【００１６】
図１及び図２を参照すると、夫々、参照番号１００で全体を示す第１の実施例の内側部材、及び参照番号１０２で示す第２の実施例の内側部材を示す。これらはファイバ・オプティック・ケーブルにシールドを提供し、またその曲率半径を制限するためであると同時に、好適な実施例に従い必要であれば自由に動かせるようにするための、モジュラ機構の一部である。内側部材１００は全体としてダンベルのような形状をしており、内側部材１０２は全体としてスクリューのような形状をしている。
【００１７】
内側部材１００は細長いシリンダ部分１０４と、１対の対向する端部１０６、１０８とを含む。端部１０６、１０８は、第５図に示すような外側コンテナ部材との干渉面を生じるような形状をしている。開口１１０が内側部材１００の細長いシリンダ部分１０４及び太い端部１０６、１０８を貫通しているが、これは図１０及び図１１に沿って説明するようなファイバ・オプティック・ケーブルを受けるためである。
【００１８】
図２を参照すると、内側部材１０２は、細長いシリンダ部分１１４と太い端部１１８とを含み、それらは第５図に示すような外側コンテナ部材の内側に干渉面を生じるような好適な形状を有する。開口１２０が内側部材１０２の細長いシリンダ部分１１４及び太い端部１１８を貫通しているが、これは図１０及び図１１に沿って説明するようなファイバ・オプティック・ケーブルを受けるためである。
【００１９】
図３及び図４は、第２の実施例の、内側部材１０２の、縮尺を合わせていない、側面図及び端面図を夫々示す。
【００２０】
本発明は、実施例の内側部材１００、１０２に限定することなく、種々の寸法、種々の形状のものが用いられることを理解されたい。すなわち好適な実施例に従うモジュラ機構を形成するための、内側部材１００、１０２及びそれらに対応して配設された外側コンテナ部材とは、相互に干渉面を生じるような種々の寸法、種々の形状のものが用いられる。
【００２１】
図３は、内側部材１０２の太い端部１１８が、定義した長さ、高さといった、予め定義した寸法を有することを示す。例えば、内側部材１０２の太い端部１１８は、対応するファイバ・オプティック・ケーブルを挿入しやすくするためテーパ付きの開口１２０を含む。
【００２２】
図４を参照すると、内側部材１０２の太い端部１１８は、例えば、全体として八角形であるが、種々の異なる形状にすることができる。同様に、開口１２０は円形であるが、用途に応じ種々の異なる寸法及び形状にすることができる。
【００２３】
図５には、好適な実施例による外側コンテナ部材を、全体として参照番号５００で示す。外側コンテナ部材５００は夫々第１及び第２の内側部材１００，１０２を受け、保持するように適用され、これによって好適な実施例による、ファイバ・オプティック・ケーブルのシールドを提供し、またその曲率半径を制限するためのモジュラ機構を構成する。
【００２４】
外側コンテナ部材５００は、係合する対の外側部材５０２、５０４を含み、夫々、対応する内部の空洞を構成する凹部（図示せず）を有する。これは内側部材１００の細長いシリンダ部分１０４及び太い端部１０６、１０８か又は内側部材１０２のシリンダ部分１１４及び太い端部１１６を受けるためである。外側部材５０２，５０４は内側部材１００又は内側部材１０２上に位置づけられ、側面同士をつき合わせるような係合の仕方、例えば押し嵌め係合で、５０６で示すような係合面に沿って、互いに結合される。外側部材５０２，５０４の夫々は、図１０に関して説明するように、５１０，５１２で図示されるような対向する端部を含む。これらは図１０に示すように他の係合するモジュラ機構と、押し嵌め係合などの係合の仕方で端部同士が結合される。
【００２５】
外側部材の端部５１０、５１２は、例えば１０度、２０度もしくは３０度といったように曲率半径を制限するように配設された有限の組のリブ５１４を含む。複数個のリブ５１４は例えばジッパ結合のようにして配設されている。すなわち、リブ５１４同士が、曲げのときに、互いに噛み合うように外側部材５０２、５０４の端部上に位置づけられている。複数個のリブ５１４は、次の、端部同士が結合される外側コンテナ部材５００のリブ５１４と噛み合うように配設される。
【００２６】
好適な実施例の構成によれば、管状の内側部材１００及び１０２と、管状の外側コンテナ部材５００との両方の形状が互いに干渉面を生じるよう設けられていることであり、これによってオプティカル・ファイバの曲率半径を制限していることである。例えば、オプティカル・ファイバの最小曲率半径は、およそ３０ｍｍである。
【００２７】
本発明の好適な実施例によれば、モジュラ機構を持つ結合システムがダンベル状の内側部材１００に似た機能をするよう配設され得ることを理解されたい。そこではユーザがファイバ・オプティック・ケーブルの位置を曲がった状態或いは真直ぐな状態にロックし、管状の内側部材すなわち外側の管を内側部材の廻りに捩る。すると内側の管が外側の管を捕捉し、その位置にロックするよう配設することができる。
【００２８】
ここで図６を参照すると、参照番号６００で全体を示す複数のモジュラ機構の真直ぐな配列が示されている。図示のとおり、一実施例に於ける外側コンテナ部材６０２の一部が内部の詳細を示すために除去されている。すなわち外側コンテナ部材６０２が夫々の第２の内側部材１０２を受けて保持し、これによって複数のモジュラ機構の真直ぐな配列を構成している。これは好適な実施例によるファイバ・オプティック・ケーブルをシールドするため、及びその曲率半径を制限するための構成である。
【００２９】
図６に示すように、外側コンテナ部材６０２を構成する外側部材は、第２の内側部材１０２のシリンダ部分１１４を受けるための対応する内部の凹部６１２を含み、第２の内側部材１０２の太い端部１１８を受けるための対応する内部の凹部６１４を含む。図示された複数の外側コンテナ部材６０２のうちの一つに対する、側部係合面６１６の一部が示される。管状の内側部材１０２及び外側コンテナ部材６０２はオプティカル・ファイバ・ケーブル（図示せず）の関連部分を完全に内包する。
【００３０】
好適な実施例の特徴によれば、・ファイバ・ケーブルを保護する複数のモジュラ機構６００の真直ぐな配列は、内包した関連ファイバ・オプティック・ケーブルを、押しつぶすような力、鋭いエッジなどの損傷から保護する。この複数のモジュラ機構６００の配列はまた保持装置として働く。もしも外力がオプティカル・ファイバ・ケーブルを引っ張るなら、その複数のモジュラ機構６００の配列はその引っ張り力の矢面に立ち、これによってケーブルやファイバが保護され、正しく位置付ける。
【００３１】
ここで図７を参照すると、参照番号７００で全体を示す一実施例の外側コンテナ部材が示される。これはダンベルの形のような第１の内側部材１００の対の部分１０８、第２の内側部材１０２の対の部分１１８を受けて保持するための構成であり、その全体で好適な実施例に従うファイバ・オプティック・ケーブルにシールドを提供し、その曲率半径を制限するための構成である。
【００３２】
外部コンテナ部材７００は、第１の内側部材１００の対の間に、対応するファイバ・オプティック・ケーブル（図示せず）を受けるための開口を構成する第１の内部の凹部７０２を含む。外側コンテナ部材７００は、第１の内側部材１００の対の個々の太い端部１０８を受けるための１対の対応する内部の凹部７０４を含む。第１の内部部材１００の夫々は細長いシリンダ部分１０４、及び外側コンテナ部材７００から外方に伸びる対向する太い端部１０８を有する。
【００３３】
代りに、第２の内側部材１０２の対の部分１１８を、外側コンテナ部材７００の、夫々対応する内部の凹部７０４の中で受ける。第２の内側部材１０２の夫々は、外側コンテナ部材７００から外方に延びる細長いシリンダ部分１１４を有する。例えば、外方に伸びる細長いシリンダ部分１１４を、シャシーや回路ボードなどと接合するために使用することができる。また、外方に伸びる細長いシリンダ部分１１４を、他の外側コンテナ部材、例えば図８で説明する一実施例の外側コンテナ部材８００の中で受けることもできる。対応するファイバ・オプティック・ケーブル（図示せず）は、第２の内側部材１０２の対の間に、対応する内部の凹部７０２の中に伸びている。
【００３４】
側方係合面７０６の対は、側方同士が突き合わせ係合するようにして、係合する外側コンテナ部材７００の側方係合面７０６の対と結合される。対向する端部係合面７１０、７１２の各対は、好適な実施例による他のモジュラ機構と端部同士が突き合わせ係合するよう配列される。
【００３５】
図８を参照すると、参照番号８００で全体を示す他の実施例の外側コンテナ部材が示される。これは、第２の内側部材１０２を受けて保持するための構成であり、その全体で好適な実施例に従うファイバ・オプティック・ケーブルにシールドを提供し、その曲率半径を制限するための構成である。
【００３６】
外部コンテナ部材８００は、スクリュー型の第２の内側部材１０２のシリンダ部分１１４を受けるための対応する内部の凹部８０２と、第２の内側部材１０２の太い端部１１８を受けるための対応する内部の凹部８０４とを含む。側方係合面８０６の対は、側部同士が突き合わせされて係合するようにして、他の外側コンテナ部材８００の側方係合面８０６の対と係合する。対向する端部係合面８１０、８１２の夫々の対は、好適な実施例による他のモジュラ機構と端部同士が突き合わせされて係合するように配設される。
【００３７】
内側部材１００、１０２及び相互にロックする外側部材５０２，５０４は、ファイバ・オプティック・ケーブルを保護するに足る強度を有するよう選択された材料、例えばプラスティック材料などからなる成型部材である。電磁干渉（ＥＭＩ）のシールドを提供するため、内側部材１００、１０２及び相互にロックするための外側部材５０２のいずれか或いは両方を、成型工程中選択された材料に挿入されたカーボン・ファイバ若しくはメタル・ファイバで形成することができる。或いはフェライト・コア材料を相互にロックする外側部材の外部に、または内部に形成することができる。
【００３８】
好適な実施例の特徴によれば、内側部材１０２は、例えばシャシーや回路ボードに、ねじで容易に装着できるように構成されている。個々の内側部材１００、１０２及び相互ロック用の外側部材５０２、５０４は、特定の応用例に合わせてある範囲の寸法にされ、またＥＭＩシールド及びアースを提供するよう導電性にされる。
【００３９】
ファイバの適切な保護を提供するため、プラスティック材料を夫々の内側部材１００、１０２及び相互ロック用の外側部材５０２、５０４を成型するために使用することができる。ケーブルのＥＭＩシールドを提供するため、メタル・ファイバ、カーボン・ファイバ、及びフェライト・コア材料など、選択された導電性材料が成型材料中に挿入され、例えばケーブル中の種々の周波数のノイズを制限しあるいは除去することができる。フェライト・コア材料もまた、外側コンテナ部材５００の外部または内部に選択的に形成され、ケーブルのＥＭＣ／ＥＭＩシールドを提供することができる。
【００４０】
管状の内側部材１００、１０２及び外側コンテナ部材５０２、５０４を成型する際は、メタル・ファイバまたはカーボン・ファイバのいずれか又は両方を、成型工程で使用される材料中に選択的に挿入することができる。外側部材５０２、５０４はまたフェライト・コア材料が挿入されもしくは成型される、更に構成された凹部領域を有することができる。これはＥＭＩ放射が電気ケーブルに結合されるのを適切にシールドするであろう。
【００４１】
ここで図９を参照すると、参照番号９００で全体を示した９０度結合構成が示されている。この結合構成（他の実施例の外側部材に相当）は、対応するファイバ・オプティック・ケーブル（図示せず）を、好適な実施例による軽量パイプ（light pipe）などの９０度接合部材９０２に結合する１対の第２の内側部材１０２を含む。この軽量パイプの９０度結合構成９００は、軽量ファイバ（lightfiber）を使用する場合に使用される。この場合は、限定された曲率半径で以って９０度で曲げるだけの余地がファイバにないかもしれない場合である。
【００４２】
例えば、スクリュー型の内側部材１０２のねじの性質(threaded properties)を用いることはねじ孔で以って何にでも容易に取り付けることができる。そしてこのことはファイバを回路ボードに直接装着し、またケーブルを心押し台、シャシーなどに直接装着するのに有利である。
【００４３】
図１０及び図１１を参照すると、それぞれ参照番号１０００で示すように一実施例の真直ぐな配列、及び参照番号１０１０で示すように、複数のモジュラ機構１００２からなる、好適な実施例に従う、曲がった配列が示されている。
【００４４】
図１０及び図１１に示すように、このモジュラ機構１００２の利点は、真直ぐな配列１０００に示されるような構成では、ファイバ・オプティック・ケーブル１００４の全長に亙って保護が可能であり、また曲がった配列１０１０に示されるような構成ではファイバ・オプティック・ケーブル１００４の全長に沿うように構成された位置において保護が可能なことである。
【００４５】
好適な実施例のモジュラ機構１００２を形成するのに使用される内側部材１００、１０２及び対応する外側コンテナ部材５０２、５０４、７００、８００を含む相互ロック機構を、種々の寸法で提供することができ、また選択的にＥＭＣ／ＥＭＩシールド及びアースを提供するよう導電性にすることもできる。個々のモジュラ機構１００２は剛性の部分が必要でない限り自由に回転させることができ、また合成の部分が必要なときモジュラ機構１００２は所望の剛性の形状に配列したり、ロックしたりすることができる。剛性の部分及び自由に動かせる部分は特定の応用例に合わせて設けることができる。
【００４６】
本発明を図面に示される特定の実施例で詳細に説明してきたが、これらの詳細は本発明の特許請求の範囲に示した範囲を狭めることを意図していない。
【図面の簡単な説明】
【００４７】
【図１】本発明のモジュラ機構の第１の実施例の内側部材の斜視図である。
【図２】本発明のモジュラ機構の第２の実施例の斜視図である。
【図３】本発明の第２の実施例の側面図である。
【図４】本発明の第２の実施例の端面図である。
【図５】本発明の実施例の外側コンテナ部材の斜視図である。
【図６】本発明の一実施例の複数のモジュラ機構に於いて、第２の内側部材を受けて保持する外側コンテナ部材の斜視図である。
【図７】本発明の一実施例の外側コンテナ部材の詳細を示す斜視図である。
【図８】本発明の一実施例の外側コンテナ部材の、他の実施例の詳細を示す斜視図である。
【図９】本発明の実施例の軽量パイプ９０度接合部材に１対の第２の内側部材を使用したものの斜視図である。
【図１０】本発明の一実施例の複数のモジュラ機構の真直ぐな配列を示す斜視図である。
【図１１】本発明の一実施例の複数のモジュラ機構の曲がった配列を示す斜視図である。
【符号の説明】
【００４８】
１００  第１の内側部材
１０２  第２の内側部材
１０４  シリンダ部分
１０６  端部
１０８  端部
１１０  開口
１１４  シリンダ部分
１１８  端部
１２０  開口
５００  外側コンテナ部材
５０２  外側部材
５０４  外側部材
５０６  係合面
５１０  端部
５１２  端部
５１４  リブ
６００  外側コンテナ部材
６０２  外側部材
６１４  凹部
６１６  側方係合面
７００  外側コンテナ部材
７０２  凹部
７０４  凹部
７０６  側方係合面
７１０  端部係合面
７１２  端部係合面
８００  外側コンテナ部材
８０２  凹部
８０４  凹部
８０６  側方係合面
８１０  端部係合面
８１２  端部係合面
９００  ９０度結合構成
９０２  ９０度接合部材
１０００  真直ぐな配列
１００２  複数のモジュラ機構
１００４  ファイバ・オプティック・ケーブル
１０１０  曲がった配列
【図１】
2006309221.tif 000003
【図２】
2006309221.tif 000004
【図３】
2006309221.tif 000005
【図４】
2006309221.tif 000006
【図５】
2006309221.tif 000007
【図６】
2006309221.tif 000008
【図７】
2006309221.tif 000009
【図８】
2006309221.tif 000010
【図９】
2006309221.tif 000011
【図１０】
2006309221.tif 000012
【図１１】
2006309221.tif 000013